(57)【要約】【課題】ケーブル接続部の防水処理を簡便に、最小限の作業空間で行うことができ、かつ、外力に対して防水機能を維持することができるケーブル接続部用の防水器具を提供する。【解決手段】ケーブル接続部収納凹部とこのケーブル接続部収納凹部の周囲に位置する弾性部材装着凹部とに仕切るための仕切り部材と、ケーブル挟持用の切欠き部と、を有するケース半体が一対となり相互に閉じ合わせ可能であるケース体と、中央に係合用開口部を有し、この係合用開口部内に上記仕切り部材を嵌合させるようにして弾性部材装着凹部に装着され、一対のケース半体が閉じ合わされた状態で相互に当接する当接面を上記係合用開口部の周囲に有する弾性部材と、を備える構成とする。【選択図】  図１
2005044579.tif 000002
【特許請求の範囲】
【請求項１】
ケーブル接続部を収納した状態で相互に閉じ合わせ可能な一対のケース半体からなるケース体と、各ケース半体に装着された弾性部材とを備え、
前記ケース半体は、ケース半体内部をケーブル接続部収納凹部と、その周囲に位置する弾性部材装着凹部とに仕切るための仕切り部材と、ケーブル挟持用の切欠き部とを有し、
前記弾性部材は、中央に係合用開口部を有し、該係合用開口部内に前記仕切り部材を嵌合させるようにして前記弾性部材装着凹部に装着され、一対のケース半体が閉じ合わされた状態で相互に当接する当接面を前記係合用開口部の周囲に有するものであることを特徴とするケーブル接続部用の防水器具。
【請求項２】
一対のケース半体は、ヒンジ部を介して開閉可能に連結されたものであることを特徴とする請求項１に記載のケーブル接続部用の防水器具。
【請求項３】
少なくとも一方のケース半体に装着された弾性部材は前記当接面にビード部を有することを特徴とする請求項１または請求項２に記載のケーブル接続部用の防水器具。
【請求項４】
前記弾性部材は、前記ケース半体のケーブル挟持用の切欠き部に対応したケーブル挟持用の切欠き部を前記当接面に有することを特徴とする請求項１乃至請求項３のいずれかに記載のケーブル接続部用の防水器具。
【請求項５】
前記弾性部材は、ケーブル挟持用の切欠き部にも前記ビード部を有することを特徴とする請求項４に記載のケーブル接続部用の防水器具。
【請求項６】
前記ケース半体は、カーボンブラック含有ポリプロピレン樹脂成型体であることを特徴とする請求項１乃至請求項５のいずれかに記載のケーブル接続部用の防水器具。
【請求項７】
前記弾性部材は、ＪＩＳ  Ｋ６２５３  スプリング式タイプＡにおける硬度が０〜３０の範囲内にあることを特徴とする請求項１乃至請求項６のいずれかに記載のケーブル接続部用の防水器具。
【発明の詳細な説明】
【０００１】
【発明の属する技術分野】
本発明は、ケーブル接続部に装着することによりケーブル接続部に防水処理を施すことができる防水器具に関する。
【０００２】
【従来の技術】
【特許文献１】実開平４−６１８６９号公報
【特許文献２】特開平１１−１５４５５６号公報
屋外における同軸ケーブルの接続部、あるいは、機器のコネクタと同軸ケーブルとの接続部は、自己融着テープ（ブチルゴム系テープ）を巻き、さらにその上から保護テープ（ビニールテープやポリエチレンテープ）を巻きつけて防水処理を施していた。
【０００３】
しかし、上記のケーブル接続部には段差があるため、従来のテープを用いた防水処理作業は技術を要するとともに、作業に時間がかかるという問題があった。また、コネクタ（レセプタクル）と同軸ケーブルとの接続を行うための十分な空間を確保して機器の設計を行う必要があり、機器の小型化に支障を来たしていた。さらに、機器に不具合が生じ、コネクタ（レセプタクル）と同軸ケーブルとの接続部のテープシールド部を開封する場合、作業に時間がかかるとともに、ハサミ等の工具が必要であり、高所作業の場合には、工具落下の危険を伴うという問題があった。
そこで、機器のコネクタ（レセプタクル）と同軸ケーブルとの接続部の防水処理を簡便なものとするために、可撓性を有する筒状の部材で接続部を被覆するような器具（特許文献１）、蛇腹形状の防水カバーで接続部を覆うような器具（特許文献２）が開発されている。
【０００４】
【発明が解決しようとする課題】
しかしながら、従来の防水用器具は、予め機器のコネクタ部位に装着しておく必要があり、機器およびコネクタ側に制約が生じる場合があった。また、同軸ケーブルどうしの接続部には使用することができず、汎用性が低いという問題があった。さらに、筒状の部材や蛇腹形状の防水カバーは機械的強度が低く、外力により破損するおそれがあるという問題があった。
本発明は、このような実情に鑑みてなされたものであり、ケーブル接続部の防水処理を簡便に、最小限の作業空間で行うことができ、かつ、外力に対して防水機能を維持することができるケーブル接続部用の防水器具を提供することを目的とする。
【０００５】
【課題を解決するための手段】
このような目的を達成するために、本発明は、ケーブル接続部を収納した状態で相互に閉じ合わせ可能な一対のケース半体からなるケース体と、各ケース半体に装着された弾性部材とを備え、前記ケース半体は、ケース半体内部をケーブル接続部収納凹部と、その周囲に位置する弾性部材装着凹部とに仕切るための仕切り部材と、ケーブル挟持用の切欠き部とを有し、前記弾性部材は、中央に係合用開口部を有し、該係合用開口部内に前記仕切り部材を嵌合させるようにして前記弾性部材装着凹部に装着され、一対のケース半体が閉じ合わされた状態で相互に当接する当接面を前記係合用開口部の周囲に有するものであるような構成とした。
【０００６】
本発明の他の態様として、一対のケース半体は、ヒンジ部を介して開閉可能に連結されたものであるような構成とした。
本発明の他の態様として、少なくとも一方のケース半体に装着された弾性部材は前記当接面にビード部を有するような構成とした。
本発明の他の態様として、前記弾性部材は、前記ケース半体のケーブル挟持用の切欠き部に対応したケーブル挟持用の切欠き部を前記当接面に有するような構成とした。
本発明の他の態様として、前記弾性部材は、ケーブル挟持用の切欠き部にも前記ビード部を有するような構成とした。
本発明の他の態様として、前記ケース半体は、カーボンブラック含有ポリプロピレン樹脂成型体であるような構成とした。
本発明の他の態様として、前記弾性部材は、ＪＩＳ  Ｋ６２５３  スプリング式タイプＡにおける硬度が０〜３０の範囲内にあるような構成とした。
【０００７】
上記のような本発明では、ケーブル接続部収納凹部内にケーブル接続部を収納した状態で一対のケース半体を係合することにより、一対の弾性部材によりケーブル接続部が外部から遮蔽され、液密状態下に置かれる。
【０００８】
【発明の実施の形態】
本発明の実施形態について図面を参照しながら説明する。
図１は本発明のケーブル接続部用の防水器具の一実施形態を示す平面図であり、図２は図１に示される防水器具のＩＩ−ＩＩ線矢視断面図であり、図３は図１に示される防水器具の側面図である。図１乃至図３において、本発明の防水器具１は、一対のケース半体１２，１３からなるケース体１１と、このケース体１１の各ケース半体１２，１３に装着された弾性部材２１，２１を備えている。
図４は、図１に示される防水器具１のケース半体１２の斜視図であり、図５は、図１に示される防水器具１のケース体１１（弾性部材２１，２１を取り外した状態）の平面図であり、図６は図１に示される防水器具１に装着される弾性部材２１の斜視図である。
【０００９】
ケース体１１を構成するケース半体１２，１３は、ヒンジ部１４を介して開閉可能に連結されたものである。
ケース半体１２は、仕切り部材１５により内部が弾性部材装着凹部１６とケーブル接続部収納凹部１７とに仕切られている。また、ケース半体１２の軸方向（図１および図５における矢印ａ方向）の両端には、ケーブル挟持用の切欠き部１２Ａ，１２Ｂが設けられ、仕切り部材１５の軸方向の両端にも、ケーブル挟持用の切欠き部１５Ａ，１５Ｂが設けられている。切欠き部１２Ａと切欠き部１５Ａは同心の半円形状の切欠きであり、また、切欠き部１２Ｂと切欠き部１５Ｂも同心の半円形状の切欠きである。図示例では、切欠き部１２Ａと切欠き部１５Ａが切欠き部１２Ｂと切欠き部１５Ｂよりも大きな切欠きとなっている。また、ケース半体１２のヒンジ部１４と対向する端辺部には、係合用の挿入孔を備えた係合受部１８が設けられている。
【００１０】
ケース半体１３は、上記のケース半体１２とヒンジ部１４を中心に線対称の形状となっている。すなわち、ケース半体１３の内部には仕切り部材１５が設けられ、この仕切り部材１５は、ケース半体１３内部を弾性部材装着凹部１６とケーブル接続部収納凹部１７とに仕切っている。ケース半体１３の軸方向（図１および図５における矢印ａ方向）の両端には、ケーブル挟持用の切欠き部１３Ａ，１３Ｂが設けられ、仕切り部材１５の軸方向の両端にも、ケーブル挟持用の切欠き部１５Ａ，１５Ｂが設けられている。切欠き部１３Ａと切欠き部１５Ａは同心の半円形状の切欠きであり、また、切欠き部１３Ｂと切欠き部１５Ｂも同心の半円形状の切欠きである。図示例では、切欠き部１３Ａと切欠き部１５Ａが切欠き部１３Ｂと切欠き部１５Ｂよりも大きな切欠きとなっている。また、ケース半体１３のヒンジ部１４と対向する端辺部には、係合爪部１９が設けられている。
【００１１】
このようなケース半体１２，１３は、図７に示されるように、ヒンジ部１４を中心に相互に折り曲げることにより閉じ合わせることが可能であり、閉じ合わせれた状態では、各ケース半体のケーブル接続部収納凹部１７が対向して、ケーブル接続部を収納するための空間が形成される。また、切欠き部１２Ａ、切欠き部１５Ａは、それぞれ切欠き部１３Ａ、切欠き部１５Ａと対向してケーブル挟持用の円形開口を形成し、切欠き部１２Ｂ、切欠き部１５Ｂは、それぞれ切欠き部１３Ｂ、切欠き部１５Ｂと対向して他方のケーブル挟持用の円形開口を形成する。ケース半体１２，１３の係合状態は、係合爪部１９を係合受部１８の挿入孔に挿入係止することにより維持することができる。
【００１２】
このようなケース半体１２，１３は、耐候性、特に紫外線に対する耐性が高く、また、外力に対する耐久性が高いことが望ましく、例えば、カーボンブラックを含有したポリプロピレン樹脂、架橋ポリエチレン樹脂、硬質塩化ビニル樹脂、ポリエステル樹脂、ポリスチレン樹脂、ポリアセタール樹脂、ＡＢＳ樹脂等を用いて成型することができる。
【００１３】
ケース体１１を構成する弾性部材２１は、中央に係合用開口部２２を有し、この係合用開口部２２内に上記の仕切り部材１５を嵌合させるようにしてケース半体１２，１３の弾性部材装着凹部１６に装着されたものである。この弾性部材２１は、一対のケース半体１２，１３が閉じ合わされた状態で相互に当接する当接面２３を係合用開口部２２の周囲に有している。また、図示例では、弾性部材２１の軸方向（図１、図６における矢印ａ方向）の両端に、ケース半体のケーブル挟持用の切欠き部１２Ａ，１３Ａに対応したケーブル挟持用の切欠き部２４Ａと、ケース半体のケーブル挟持用の切欠き部１２Ｂ，１３Ｂに対応したケーブル挟持用の切欠き部２４Ｂとが形成されている。そして、ケーブル挟持用の切欠き部２４Ａ，２４Ｂを含む当接面２３にビード部２５を有している。
【００１４】
このような弾性部材２１は、上述のようにケース半体１２，１３が閉じ合わされた状態において、各ケース半体に装着されている弾性部材２１の当接面２３どうしが当接し、かつ、ケーブル挟持用の切欠き部２４Ａ，２４Ｂがケーブルを挟持した状態となる。これにより、各ケース半体のケーブル接続部収納凹部１７が対向して形成されるケーブル接続部を収納するための空間が液密状態とされ、高い防水機能が発現される。特に、上記のようにビード部２５を弾性部材２１に形成しておくことにより、対向するビード部２５どうしが圧着され、また、ビード部２５がケーブルに圧着されるので、更に高い液密状態を得ることができる。
【００１５】
上記の弾性部材２１，２１は、当接面２３が圧着され変形して高い液密状態を達成することができる程度の硬度を有することが好ましく、例えば、ＪＩＳ  Ｋ６２５３  スプリング式タイプＡにおける硬度が０〜３０、好ましくは０〜１５の範囲内にある材料を使用することができる。このような材料としては、例えば、エチレンプロピレンゴム、シリコンゴム、イソブチレンイソプレンゴム、ブタジエンゴム、および、これらの任意の混合物等を挙げることができる。このようなゴム材に加硫剤、加硫促進剤等の添加剤を加えた後、混練機により混練して、得られたゴム混合物を所定の形状に成型、加硫することにより弾性部材２１を作製することができる。使用する加硫剤としては、硫黄、過酸化物、キノイド、アルキルフェノール・ホルムアルデヒド樹脂やアルキルフェノール・スルフィド樹脂等の樹脂（例えば、商品名タッキロール、商品名スミライトレジン）等を挙げることができ、使用するゴム材に対応して適宜選定することができる。また、加硫促進剤として、チオウレア系、グアニジン系、チアゾール系、スルフェンアミド系、チウラム系、ジチオカルバミン酸塩系等を使用することができる。また、上記のゴム混合物には、必要に応じて老化防止剤、ステアリン酸等の有機脂肪酸、カーボンブラック等の充填剤を含有させてもよい。このような添加剤はゴム材１００重量部に対して５〜２５０重量部の範囲で含有させることが好ましい。
【００１６】
次に、上述の本発明のケーブル接続部用の防水器具１の使用状態について説明する。
図８は直径の異なる同軸ケーブル５１、５２の接続部５３に本発明の防水器具１を装着して防水処理を行う場合を示す図である。ケース半体１２，１３のケーブル接続部収納凹部１７内に接続部５３を収納するようにケース体１１を同軸ケーブル５１、５２の接続部５３に配置する。その後、ヒンジ部１４を中心にケース半体１２，１３を折り曲げることにより閉じ合わせ、係合爪部１９を係合受部１８の挿入孔に挿入係止して、防水器具１を装着する。これにより、各ケース半体１２，１３に装着された一対の弾性部材２１，２１がその当接面２３で当接し、また、弾性部材２１，２１が同軸ケーブル５１、５２に圧着され、ケーブル接続部収納凹部１７内を液密状態とされる。したがって、ケーブル接続部５３の防水処理が極めて簡便なものとなる。また、一対のケース半体１２，１３からなるケース体１１により弾性部材２１，２１が保護されているので、外力に対して安定して防水機能を維持することができる。
【００１７】
図９は、機器のコネクタ（レセプタクル）６１と同軸ケーブル６５との接続部６７に本発明の防水器具１を装着した状態を示す図である。図示例では、機器のシャーシ６０に配設されたコネクタ６１は、シャーシ６０の他の面との間に大きな空間はなく、同軸ケーブル６５が接続された状態では、従来のテープを用いた防水作業を行うことは困難である。しかし、本発明の防水器具１の一対のケース半体１２，１３内に接続部６７を収納するように閉じ合わせる作業に要する作業空間は、図示例の場合でも十分に確保されている。したがって、本発明の防水器具１を使用することにより、最小限の作業空間で防水処理を行うことが可能となる。また、機器に不具合が生じ、コネクタ６１と同軸ケーブル６５との接続を解除する場合、係合爪部１９を係合受部１８の挿入孔から外すことにより防水器具１を容易に取り外すことができる。
【００１８】
上述の防水器具は一実施形態であり、本発明はこれに限定されるものではない。例えば、上述のケース半体１２，１３を、図１０に示されるように、ヒンジ部を介した連結状態とせずに、独立した別個のケース半体１２，１３としてもよい。この場合、一方のケース半体１２の対向する端辺部には、係合用の挿入孔を備えた係合受部１８，１８を設け、他方のケース半体１３の対向する端辺部には、係合爪部１９，１９を設けることができる。これにより、ケーブルの接続部を収納するようにケース半体１２，１３を対向させて閉じ合わせ、係合爪部１９を係合受部１８の挿入孔に挿入係止して、防水器具１を装着することができる。
【００１９】
また、ケース体１１を構成するケース半体１２，１３の形状、仕切り部材１５等各部の寸法、弾性部材２１，２１の形状、寸法等は、防水処理を施す対象のケーブル接続部の形状、寸法等に応じて適宜設定することができる。例えば、仕切り部材１５の形状は、図示例では回廊形状であるが、ケース半体の内部を弾性部材装着凹部１６とケーブル接続部収納凹部１７とに仕切ることができ、弾性部材２１を装着保持できれば、その形状には特に制限はない。また、係合受部１８と係合爪部１９の形状は図示例に限定されず、さらに、ケーブル接続部を収納して閉じ合わされた本発明の防水器具の外周部をベルト等の締め具により封止してもよい。
【００２０】
また、上述の例では、ケース半体１２とケース半体１３は、同じ大きさ（深さ）のケーブル接続部収納凹部１７を有するものである。本発明はこれに限定されるものではない。例えば、ケース半体１２とケース半体１３との大きさ（深さ）を異なるもの、例えば、ケース半体１２が大きい（深い）ケーブル接続部収納凹部を有し、ケース半体１３が小さい（浅い）ケーブル接続部収納凹部を有し、閉じ合わせた大きさは上述の防水器具１と同じものとしてもよい。
【００２１】
【発明の効果】
以上詳述したように、本発明によればケーブル接続部収納凹部内にケーブル接続部を収納した状態で一対のケース半体を閉じ合わせ、装着することにより、各ケース半体に装着された一対の弾性部材がその当接面で当接してケーブル接続部収納凹部内を液密状態とするので、ケーブル接続部の防水処理が簡便となり、また、一対のケース半体の閉じ合わせ作業に必要な最小限の作業空間で防水処理を行うことが可能となり、機器の小型化に支障を来たすことがなく、さらに、一対のケース半体からなるケース体により弾性部材が保護されているので、外力に対して安定して防水機能を維持することができ、また、ケーブルどうしの接続部、ケーブルとコネクタ（レセプタクル）との接続部、いずれにも使用でき汎用性が高いという効果が奏される。
【図面の簡単な説明】
【図１】本発明のケーブル接続部用の防水器具の一実施形態を示す平面図である。
【図２】図１に示される防水器具のＩＩ−ＩＩ線矢視断面図である。
【図３】図１に示される防水器具の側面図である。
【図４】図１に示される防水器具の一方のケース半体の斜視図である。
【図５】図１に示される防水器具のケース体（弾性部材を取り外した状態）の平面図である。
【図６】図１に示される防水器具に装着される弾性部材の斜視図である。
【図７】ケース半体をヒンジ部中心に相互に折り曲げて閉じ合わせた状態を示す斜視図である。
【図８】ケーブル接続部に本発明の防水器具を装着して防水処理を行う場合を示す図である。
【図９】機器のコネクタと同軸ケーブルとの接続部に本発明の防水器具を装着した状態を示す図である。
【図１０】本発明のケーブル接続部用の防水器具の他の実施形態を示す図３相当の側面図である。
【符号の説明】
１…ケーブル接続部用の防水器具
１１…ケース体
１２，１３…ケース半体
１２Ａ，１２Ｂ，１３Ａ，１３Ｂ…ケーブル挟持用の切欠き部
１４…ヒンジ部
１５…仕切り部材
１５Ａ，１５Ｂ…ケーブル挟持用の切欠き部
１６…弾性部材装着凹部
１７…ケーブル接続部収納凹部
１８…係合受部
１９…係合爪部
２１…弾性部材
２２…係合用開口部
２３…当接面
２４Ａ，２４Ｂ……ケーブル挟持用の切欠き部
２５…ビード部
５１，５２，６５…同軸ケーブル
５３，６７…ケーブル接続部
６０…シャーシ
６１…コネクタ（レセプタクル）
【図１】
2005044579.tif 000003
【図２】
2005044579.tif 000004
【図３】
2005044579.tif 000005
【図４】
2005044579.tif 000006
【図５】
2005044579.tif 000007
【図６】
2005044579.tif 000008
【図７】
2005044579.tif 000009
【図８】
2005044579.tif 000010
【図９】
2005044579.tif 000011
【図１０】
2005044579.tif 000012